(57)【要約】【課題】  複数機能が搭載された携帯端末において、それら各機能に各々最適な形態を実現可能とする。【解決手段】  上ユニット１，中ユニット２，下ユニット３はそれぞれ回転体形状を有し、上ユニット１と中ユニット２、中ユニット２と下ユニット３は、各々回転ヒンジにより相対的に回転可能に連結されている。そして、上ユニット１の筐体外周面にはカメラ部４や第１のスピーカ１２，レシーバ１０，十字キーデバイス等が設けられ、中ユニット２には表示デバイス５や回転入力デバイス１１等が設けられ、下ユニット３の筐体外周面にはメインキー部１０，方向指示キー６，決定キー７，ソフトキー部８やマイクロホンなどが設けられている。使用者は、これら上ユニット１，中ユニット２，下ユニット３を回転させることで、携帯電話端末の使用形態を所望の機能に最適なデバイスを使用できる形態にする。【選択図】  図１
2008141538.tif 000002
【特許請求の範囲】
【請求項１】
複数の機能が搭載された携帯端末において、
それぞれ回転体形状を有する第１，第２，第３の少なくとも三つの筐体と、
上記第１，第２の筐体の回転体形状に合わせてそれら第１，第２の筐体を相対的に回転可能に連結する第１の回転ヒンジ部と、
上記第２，第３の筐体の回転体形状に合わせてそれら第２，第３の筐体を相対的に回転可能に連結する第２の回転ヒンジ部と、
上記回転体形状の第１，第２，第３の筐体の少なくとも筐体外周面側に配される複数のユーザインターフェースデバイスとを備える、
ことを特徴とする携帯端末。
【請求項２】
上記複数のユーザインターフェースデバイスは、上記第１の筐体に配される第１の複数のユーザインターフェースデバイスと、上記第２の筐体に配される第２の複数のユーザインターフェースデバイスと、上記第３の筐体に配される第３の複数のユーザインターフェースデバイスとからなることを特徴とする請求項１記載の携帯端末。
【請求項３】
上記複数のユーザインターフェースデバイスのうち少なくとも一部のユーザインターフェースデバイスは、上記複数の機能のうちの一部の機能にて共有されていることを特徴とする請求項１記載の携帯端末。
【請求項４】
上記第１の筐体は、上記複数のユーザインターフェースデバイスの一つとして、少なくとも受話音声出力用のスピーカを有し、
上記第３の筐体は、上記複数のユーザインターフェースデバイスの一つとして、少なくとも送話音声入力用のマイクロホンを有することを特徴とする請求項１記載の携帯端末。
【請求項５】
上記第３の筐体は、上記複数のユーザインターフェースデバイスの一つとして、少なくとも数字を入力するのに使用されるキーデバイスを有することを特徴とする請求項４記載の携帯端末。
【請求項６】
上記第１の筐体は、上記複数のユーザインターフェースデバイスの一つとして、少なくとも画像撮影用のカメラ部を有し、
上記第２の筐体は、上記複数のユーザインターフェースデバイスの一つとして、少なくとも画像を表示可能な表示デバイスを有することを特徴とする請求項４記載の携帯端末。
【請求項７】
上記第２の筐体は、上記複数のユーザインターフェースデバイスの一つとして、少なくとも文字を表示可能な表示デバイスを有し、
上記第３の筐体は、上記複数のユーザインターフェースデバイスの一つとして、少なくとも文字を入力するのに使用されるキーデバイスを有することを特徴とする請求項１記載の携帯端末。
【請求項８】
上記第３の筐体に設けられる上記キーデバイスは複数のキーを備え、それら複数のキーの各キートップの長尺方向が当該第３の筐体の長手方向に略々平行となされ、且つ、所定の配列に合わせて各キーが当該回転体形状の第３の筐体の外周方向に並べて配されていることを特徴とする請求項５又は請求項７記載の携帯端末。
【請求項９】
上記キーデバイスの各キーは、キートップの長手方向の中央線部が高くなり、キートップの短手方向端部に向かうに従って低くなるアーチ形状を有することを特徴とする請求項８記載の携帯端末。
【請求項１０】
上記第１の筐体は、上記複数のユーザインターフェースデバイスの一つとして、少なくとも画像撮影用のカメラ部を有し、
上記第２の筐体は、上記複数のユーザインターフェースデバイスの一つとして、少なくとも画像を表示可能な表示デバイスを有し、
上記第３の筐体は、上記複数のユーザインターフェースデバイスの一つとして、少なくとも画像撮影を使用者が指示するためのシャッターボタンを有することを特徴とする請求項１記載の携帯端末。
【請求項１１】
上記第１の筐体は、上記複数のユーザインターフェースデバイスの一つとして、少なくとも音楽出力用の第１のスピーカ部を有し、
上記第３の筐体は、上記複数のユーザインターフェースデバイスの一つとして、少なくとも音楽出力用の第２のスピーカ部を有することを特徴とする請求項１記載の携帯端末。
【請求項１２】
上記第３の筐体は、上記複数のユーザインターフェースデバイスの一つとして、少なくとも音楽出力の調整を使用者が指示するための音楽キー部を有することを特徴とする請求項１１記載の携帯端末。
【請求項１３】
上記第２の筐体は、上記複数のユーザインターフェースデバイスの一つとして、少なくとも楽曲リストを表示するための表示デバイスを有することを特徴とする請求項１１記載の携帯端末。
【請求項１４】
第１の筐体は、上記複数のユーザインターフェースデバイスの一つとして、少なくとも使用者が電子ゲームに関連する第１の操作指示を入力するためのキーデバイスを有し、
上記第２の筐体は、上記複数のユーザインターフェースデバイスの一つとして、少なくとも電子ゲーム映像を表示可能な表示デバイスを有し、
上記第３の筐体は、上記複数のユーザインターフェースデバイスの一つとして、少なくとも使用者が電子ゲームに関連する第２の操作指示を入力するためのキーデバイスを有することを特徴とする請求項１記載の携帯端末。
【請求項１５】
上記第２の筐体は、上記複数のユーザインターフェースデバイスの一つとして、当該第２の筐体の回転体形状の外周形状に略々一致する回転リングを備えた回転入力デバイスを有することを特徴とする請求項１記載の携帯端末。
【請求項１６】
上記第２の筐体は、上記複数のユーザインターフェースデバイスの一つとして、当該第２の筐体の長手方向の外壁面上に略々円周等配された所定の凹み形状を有することを特徴とする請求項１記載の携帯端末。
【請求項１７】
上記第３の筐体は、上記上記第２の回転ヒンジ部による上記第２の筐体との間の連結部分に相対応した筐体端部の平面部分中央部にストラップ取り付け部を備えることを特徴とする請求項１記載の携帯端末。
【発明の詳細な説明】
【技術分野】
【０００１】
本発明は、例えば通話機能や電子メール機能など多種多様の機能が搭載された携帯電話端末やＰＤＡ（Personal Digital(Data） Assistants）等の携帯端末に関する。
【背景技術】
【０００２】
近年の携帯電話端末には、通話機能や電子メール機能、カメラ機能、テレビジョン通話機能、音楽機能、テレビジョン視聴機能といった多くの機能が搭載されるようになっている。また、携帯電話端末には、それら各機能のうちの一部の機能に適した形態をとるもの、すなわち例えば、音楽再生機能の特化した形態の端末やディジタルテレビジョン視聴機能に特化した形態の端末などもある。一方、例えば直方体形状の二つの筐体を回転ヒンジにより連結し、その回転ヒンジを介して二つの筐体の形態を変更可能にすることにより、例えば電話機能、音楽再生機能、カメラ機能の三つの機能にそれぞれ適した形態を取り得るようになされた携帯電話端末も存在している。
【０００３】
また、特開２００５−２４４３７１号の公開特許公報（特許文献１）には、略円筒形状の筐体を備え、その円筒形状の筐体表面に、表示部や、ボタン，スイッチ，ノブ等の操作部が設けられた構造の携帯通信装置が開示されている。この特許文献１の公開特許公報記載の携帯通信装置によれば、略円筒形状の筐体を備えているため、ボタン，スイッチ，ノブ等を立体的に配置可能となり、また例えば表示部に対して背面側となる場所にもスイッチ等を配置可能となる。
【０００４】
【特許文献１】特開２００５−２４４３７１号公報（図１）
【発明の開示】
【発明が解決しようとする課題】
【０００５】
ところで、上述したような多くの機能が搭載された従来の携帯電話端末では、それら各機能の各々全てに適した形態をとることができるものは未だ存在していない。また、或る機能にのみ特化した携帯電話端末の場合、当該特化した機能の使い勝手については良いが、その他の機能に関しては必ずしも使い勝手がよいとは言い難く、そのため使用者は不便を強いられている。
【０００６】
一方、上述した二つの筐体を回転ヒンジで連結した携帯電話端末の場合、前述の三つの機能について或る程度適した形態を取ることはできるが、それら三つの機能以外の他の全ての機能についてもそれぞれ適した形態を実現することまでは出来ない。また、それら三つの機能について或る程度適した形態をとることが出来るとは言え、それが最適な形態であるとは必ずしも言えない。例えば、音楽再生機能に適した形態として、音楽再生専用のキーデバイスが表示部の近傍に来るような形態を採れたとしても、例えばスピーカなど音楽再生に直接関わる他の全てのデバイスを表示部の近傍に持ってくるようなことまでは実現できていない。また例えば、カメラ機能に適した形態として、例えばシャッターボタンは一般的には右手の示指（人差し指）で押し易い位置に設けられることが多いが、使用者が左利きである場合には使い易いとは言えなくなってしまい、利き手によらずに使い易い端末は未だ実現されていない。さらに、この携帯電話端末の場合、上記二つの筐体形状が直方体となされているため、表示部や操作部などの各種デバイスを搭載できる面は各筐体につき四つに限られてしまう。また、この携帯電話端末の場合、二つの筐体のうちの例えば一方に表示部が設けられ、他方に操作部が設けられることが多いが、例えば表示部と操作部の両筐体間の角度を、使用者が使い易いように自由に調節した場合、回転ヒンジ部等に過大な外力が加わり易く、その角度の保持も困難になることがある。なお、それら二つの筐体間の角度が設計者の予期しない角度になされて使用された場合、端末の使用形態に合わせて設計されたデザインが崩れてしまい、見栄えが悪くなってしまうこともある。
【０００７】
また、従来の携帯電話端末では、テンキーや方向指示キー、決定キーなどが、略々同一平面上に並んで配置されているため、例えば電子メール作成などの際には、一般に片手の拇指（親指）のみでキータイピング操作が行われている。このため、キー操作速度を一定以上に上げることが難しく、また略々一本の指（拇指）にのみ負担が集中してしまい好ましくない。なお、近年はフルキーボードを搭載した携帯電話端末も登場しているが、当該フルキーボードは両手を使用することが前提のデバイスであり、片手では操作し難いという問題がある。したがって、フルキーボードを搭載した場合、携帯電話端末の主要な利用場面の一つである狭小空間（例えば混雑した電車内等）での利便性を損なってしまうことになる。
【０００８】
また、前述の特開２００５−２４４３７１号の公開特許公報（特許文献１）に開示されている略円筒形状の筐体を有する携帯通信装置の場合、操作部の各キー類を適当な位置に配することができれば、使用者は、例えば片手の複数の指を同時に使用して各種の操作を行うことができ、既存の携帯電話端末のように一つの指にのみ負担が集中してしまうようなことをなくせる可能性がある。しかしながら、当該公開特許公報には、各キー類をどのように配置すれば使い勝手が良くなるかについては言及されていない。
【０００９】
一方、テンキーや方向指示キー、決定キーなどの配置は、既に多くの携帯電話端末において一定のデファクトスタンダードが確立しており、それらのキー配置を闇雲に変更したのでは、既存の携帯電話端末を使い慣れたユーザにとって逆に使い難くなる虞がある。勿論、キー配置に慣れれば使い易くなるが、或る程度慣れるまではユーザビリティが低下することは否めず、また、慣れること自体が困難なことも考えられる。このため、キー配置を変更する場合には、現行のスタンダードなキー配置とかけ離れることのない配置にする必要がある。
【００１０】
また、上記略円筒形状の筐体を有する携帯通信装置のように、例えば表示部に対して背面側となる場所にもスイッチ等を配置し、その背面側のスイッチ類を操作する際に、例えば装置本体を回転させる等して装置の持ちかえを行うと、当該装置を取り落としてしまう危険性が付きまとう。この場合、装置にストラップを取り付けるという解決策が容易に想起されるが、単純にストラップを装着しただけでは、装置本体を回転させた時にストラップが装置本体に巻き付いてしまう虞がある。
【００１１】
さらに、上記円筒形状を始めとする回転体に近い形状に装置本体を設計する場合、市場に出回っている部品は直方体に近い角張った形状のものが多いため、内部部品のレイアウトや装置筐体内部空間の有効活用が難しい。また、回転体に近い形状に装置本体を設計する場合、回転体形状という制約があるが故に多彩な意匠のバリエーションを作り出すのが困難である。
【００１２】
その他、従来の携帯電話端末は、例えば鞄やポケットの中に入れた状態で目視せずに、各種スイッチやボタン、ダイヤル等のデバイスの操作を行うような場合、所望の操作を行うための特定の操作デバイスを手探りで探し出すのが困難である。
【００１３】
本発明は、このような実情に鑑みて提案されたものであり、複数の機能が搭載された携帯端末において、それら各機能に各々適し、利き手に拠らず、特定の指等に過度に負担が集中することなく、既存のスタンダードなキー配置に慣れたユーザでも使い易く、また、例え目視していない状態でも操作できる利便性が高い形態を容易に実現することができ、また、設計時のデザインを崩すことなく、多彩な意匠のバリエーションを作り出すことができ、さらに、ストラップが端末本体に巻き付いてしまうことを防止でき、市場に多く出回っている既存の部品を有効に活用可能な携帯端末を提供することを目的とする。
【課題を解決するための手段】
【００１４】
本発明の携帯端末は、複数の機能が搭載された携帯端末であり、それぞれ回転体形状を有する第１，第２，第３の少なくとも三つの筐体と、第１，第２の筐体の回転体形状に合わせてそれら第１，第２の筐体を相対的に回転可能に連結する第１の回転ヒンジ部と、第２，第３の筐体の回転体形状に合わせてそれら第２，第３の筐体を相対的に回転可能に連結する第２の回転ヒンジ部と、回転体形状の第１，第２，第３の筐体の少なくとも筐体外周面側に配される複数のユーザインターフェースデバイスとを備えることにより、上述した課題を解決する。
【００１５】
すなわち、本発明によれば、第１，第２，第３の筐体はそれぞれ回転体形状を有し、それら第１，第２，第３の筐体が第１，第２の回転ヒンジ部により回転可能に連結されている。また、第１，第２，第３の筐体はそれぞれ回転体形状を有し、その筐体外周面側には、複数のユーザインターフェースデバイスが配置されている。したがって、第１，第２，第３の筐体を第１，第２の回転ヒンジ部により回転させた場合、それら回転に伴い、第１，第２，第３の筐体の筐体外周面のうちで或る方向に向く各ユーザインターフェースデバイスの組み合わせが変わることになる。すなわち使用者は、第１，第２，第３の筐体を回転させることで、第１，第２，第３の筐体の筐体外周面のうちで所望の方向に向く各ユーザインターフェースデバイスの組み合わせを変えることにより、当該携帯端末が備える各機能のうち使用を望む機能に対して最適なユーザインターフェースデバイスの組み合わせを選ぶことができるようになる。
【発明の効果】
【００１６】
本発明の携帯端末によれば、それぞれ回転体形状を有する第１，第２，第３の少なくとも三つの筐体をそれぞれ相対的に回転可能に連結すると共に、第１，第２，第３の筐体に外周面側に複数のユーザインターフェースデバイスを配してなることにより、自端末が搭載している各機能に各々適し、利き手に拠らず、特定の指等に過度に負担が集中することなく、既存のスタンダードなキー配置に慣れたユーザでも使い易く、また、例え目視していない状態でも操作できる利便性が高い形態を容易に実現することができ、設計時のデザインを崩すことなく、多彩な意匠のバリエーションを作り出すことができ、さらには、ストラップが端末本体に巻き付いてしまうことをも防止でき、市場に多く出回っている既存の部品を有効に活用することが可能となる。
【発明を実施するための最良の形態】
【００１７】
以下、図面を参照しながら、本発明の携帯端末の一実施形態について説明する。
【００１８】
なお、本実施形態では本発明の携帯端末の一例として携帯電話端末を上げているが、ここで説明する内容はあくまで一例であり、本発明はこの例に限定されないことは言うまでもない。
【００１９】
〔本発明実施形態の携帯電話端末の外観構成〕
図１〜図１１には本発明実施形態の外観構成を示す。図１は本実施形態の携帯電話端末の正面図を、図２は図１に対する左側面図を、図３は図１に対する右側面図を、図４は図１に対する背面図を、図５は図１に対する底面図をそれぞれ表している。また、図６は本実施形態の携帯電話端末を図１中の一点鎖線にて切断した状態で図１中矢印Ａ方向から見た断面図を、図７は本実施形態の携帯電話端末を図２中の一点鎖線にて切断した状態で図２中矢印Ｃ方向から見た断面図を、図８は本実施形態の携帯電話端末を図１中二点鎖線にて切断した状態で図１中矢印Ｂ方向からみた断面図を、図９は本実施形態の携帯電話端末を図６中二点鎖線にて切断した状態で図６中矢印Ｄ方向から見た断面図を、図１０は図６中の点線Ｅで囲った部分を拡大して示す図を、図１１は後述する回転入力デバイスの斜視図を、図１２は本実施形態の携帯電話端末の内部回路構成等を省略した筐体とその連結部分のみを示した断面図である。
【００２０】
ここで、本実施形態の携帯電話端末は、上ユニット１，中ユニット２，下ユニット３の三つの部分により構成されており、それら上ユニット１，中ユニット２，下ユニット３はそれぞれ共通した中心軸を有する回転体形状の筐体（以下、回転体形状筐体と表記する）からなる。
【００２１】
上ユニット１と中ユニット２との間は、図６，図７及び図１２に示すように、それら上ユニット１及び中ユニット２の中心軸を回転軸とする回転ヒンジ１７（以下、上中連結回転ヒンジ１７と表記する）により、相互に回転可能に連結されている。同様に、中ユニット２と下ユニット３との間は、それら中ユニット２及び下ユニット３の中心軸を回転軸とする回転ヒンジ１８（以下、中下連結回転ヒンジ１８と表記する）により、相互に回転可能に連結されている。すなわち本実施形態の携帯電話端末では、上ユニット１，中ユニット２，下ユニット３がそれぞれ回転体形状となされ、それら各ユニット間が回転ヒンジ１７，１８により回転可能に連結されているため、各ユニットの向きを自由に回転させて調整することができ、回転後の回転角度も保持することが可能となっている。一方で、本実施形態の携帯電話端末によれば、各ユニットを回転させた場合でも、端末本体の外形状が大きく変化することはなく、端末本体の設計時のシルエットを保つことができるようになっている。また、本実施形態の携帯電話端末によれば、各ユニットに対して回転方向への外力が加わった場合でも、回転ヒンジ１７，１８の回転軸廻りの大きなトルクとはなり難く、当該外力により端末が壊れてしまう可能性も低い。
【００２２】
上ユニット１の回転体形状筐体外壁面上には、複数のユーザインターフェースデバイスとして、例えばカメラ用レンズや撮影照明光用ライト、マクロ切り替えスイッチ等からなるカメラ部４と、受話音声出力用のスピーカ１０（以下、レシーバ１０と表記する）、例えば音楽再生等の際にステレオ左右チャンネルの一方のチャンネルの音声出力用となるスピーカ１２（以下、第１の音楽用スピーカ１２と表記する）、十字キーデバイス１４が搭載されている。
【００２３】
また、上ユニット１において、上記カメラ部４と十字キーデバイス１４は、当該上ユニット１の中心軸を挟んで回転体形状筐体外壁面上で相対応する位置に配されており、上記レシーバ１０とスピーカ１２は、当該上ユニット１の中心軸を挟んで回転体形状筐体外壁面上で相対応する位置に配されている。なお、本実施形態の場合、それらカメラ部４、レシーバ１０、十字キーデバイス１４、第１の音楽用スピーカ１２は、当該上ユニット１の回転体形状筐体の外壁面上に略々円周等配にて配されている。
【００２４】
上記中ユニット２の回転体形状筐体には、複数のユーザインターフェースデバイスとして、液晶ディスプレイ等の表示デバイス５と、回転入力デバイス１１、当該携帯電話端末本体を横置きにした場合に用いられる台座部３０等が搭載されている。なお、説明は省略するが、当該中ユニット２には、外部メモリ挿入用スロットや外部接続端子なども設けられている。
【００２５】
上記表示デバイス５は、図８に示すように、中ユニット２の回転体形状筐体内部に配される平面状液晶ディスプレイ５ＤＳと、当該中ユニット２の回転体形状筐体外壁面に略々沿った形状の透明保護部材２０とからなる。
【００２６】
上記回転入力デバイス１１は、図９，図１０，図１１に示すように、回転リング１１Ｊ、フレーム２２、回転コロ部２１、ロータリーエンコーダ２３等により構成されている。上記回転リング１１Ｊは、上記中ユニット２の中心軸を回転軸として回転自在になされていると共に当該中ユニット２の回転体形状筐体外壁円周の直径と略々同じ直径を有する。フレーム２２は、上記回転リング１１Ｊが回転軸を中心にして回転可能な状態で、当該回転リング１１Ｊを内側から支える。回転コロ部２１は、例えばエラストマー等の摩擦の大きい素材により形成されており、その外周面が上記回転リング１１Ｊの内周面に接するように配されている。したがって、回転コロ部２１は、回転リング１１Ｊの回転に伴って回転することになる。ロータリーエンコーダ２３は、上記回転コロ部２１の回転軸と連結されており、上記回転コロ部２１が回転リング１１Ｊの回転に伴って回転した場合に、その回転リング１１Ｊの回転量と回転方向，回転速度などをパルス信号として検出する。このロータリーエンコーダ２３による回転リング１１Ｊの回転量，回転方向，回転速度などを表すパルス信号は、図示しない信号処理系に送られることになり、信号処理系は当該パルス信号を基にして例えば画面のスクロール等のための各種信号処理を行う。
【００２７】
また、中ユニット２の回転体形状筐体外壁面には、当該中ユニット２の回転体形状筐体の外壁面上に略々円周等配にて四つの操作窓部Ｗ１〜Ｗ４が設けられており、上記回転入力デバイス１１は、それら四つの操作窓部Ｗ１〜Ｗ４から上記回転リング１１Ｊの外周部分が外部へ露出するようになされた状態で当該中ユニット２に組み込まれている。つまり、本実施形態によれば、携帯電話端末の使用者は、中ユニット２の四つの操作窓部Ｗ１〜Ｗ４から外部に露出している回転リング１１Ｊを例えば指等で操作することにより、上記回転入力デバイス１１の回転リング１１Ｊを、中ユニット２の回転体形状筐体外周の何れの方向からでも回転操作することが可能となされている。特に、本実施形態によれば、例えば携帯電話端末本体を使用者が目視できない状況であっても、当該使用者は、上記四つの操作窓部Ｗ１〜Ｗ４を通じて回転リング１１Ｊを略々全方位から触ることができるため、例えば手探りにより操作することも可能となる。逆に、本実施形態によれば、回転リング１１Ｊが四つの操作窓部Ｗ１〜Ｗ４を通じてのみ操作可能となされており、回転リング１１Ｊの外周面全面が外部に露出してしまわない形態となされているため、例えば使用者が誤って回転リング１１Ｊに触ってしまったり、回転リング１１Ｊが何かに誤って接触してしまうような事態の発生確率を減らすことができる。つまり、本実施形態によれば、中ユニット２の回転体形状筐体外壁のうち上記回転リング１１Ｊの外周側に配されることになる回転体形状筐体外壁部分（上記操作窓部Ｗ１〜Ｗ４を除いた外壁部分）が誤接触防止部材としても機能している。
【００２８】
また、本実施形態の携帯電話端末において、中ユニット２には、図８や図１〜図４に示すように、回転体形状筐体の長手方向の外壁面上に円周等配された四箇所の各凸形状に各々挟まれた各凹み形状２９が形成されている。これにより、本実施形態の携帯電話端末は、回転体形状筐体として回転体形状の印象を残しつつ、筐体の断面形状を方形に近づけることができるようになっており、内部の電気部品搭載領域を拡大してそれら内部電気部品類を収納する空間を生み出すことができ、例えば表示デバイスのような大面積の平面デバイスを筐体に搭載可能としている。さらに、本実施形態によれば、中ユニット２の回転体形状筐体外壁面上に上記四箇所の凹み形状２９を形成していることで、回転体形状のみを基調として装置本体の意匠を設計する場合よりも意匠のバリエーション（意匠の選択肢）を増やすことができている。特に、上ユニット１と中ユニット２の境界部、中ユニットと下ユニット３の境界部は、回転体形状のみを基調とした場合には平面（真横から見た場合は直線）にしかならないが、本実施形態のように中ユニット２の回転体形状筐体外壁面上に四箇所の凹み形状２９を形成した場合には、それら各境界部において折れ線や曲線等の多彩な意匠を実現可能となる。特に、本実施形態の場合、下ユニット３との境界部は、四箇所の凹み形状２９とそれ以外の部分とで凹凸形状が形成されているため、意匠の単調化が抑制されている。
【００２９】
上記下ユニット３の回転体形状筐体外壁面上には、複数のユーザインターフェースデバイスとして、いわゆる１２キーからなるメインキー部９と、使用者が例えばメニュー選択やカーソル操作を行う際に方向指示を行うための方向指示キー６と、各種決定指示やカメラ撮影時のシャッターボタンとして用いられる決定キー７と、その他各種機能が割り当てられるソフトキー部８と、音楽再生時に再生開始やトラック（チャンネル）送り／戻し，一時停止，ボリューム調整等に使用される音楽キー部１６と、例えば音楽再生等の際にステレオ左右チャンネルの他方のチャンネルの音声出力用となるスピーカ１５（以下、第２の音楽用スピーカ１５と表記する）、送話音声入力用のマイクロホン１３が搭載されている。
【００３０】
本実施形態において、メインキー部９の１２キー部分は、各キートップの長尺方向が下ユニット３の長手方向に略々平行となされ、且つ、既存の１２キーに準じた配列で各キーが下ユニット３の回転体形状筐体外周方向に並べて配されている。また１２キー部分の各キーは、キートップの長手方向の中央線部が高くなり、キートップの短手方向端部に向かうに従って低くなるようなアーチ形状を有しており、それら１２キー部分全体として、各キートップ部分を繋ぐ曲線が波打つような形状となされている。
【００３１】
方向指示キー６及び決定キー７は、下ユニット３の回転体形状筐体外壁面上において底面から遠い方（中ユニット２に近い方）に配されている。
【００３２】
また、下ユニット３の底面部には、図５に示すように、ストラップ取り付け用のストラップホール１９及びストラップピン２４と、ストラップ用逃げ溝２５が設けられている。ストラップ用逃げ溝２５は、下ユニット３の底面部を例えばテーブル面や床面などに当接させて本実施形態の携帯電話端末を立てた状態にした場合に邪魔にならないようにストラップの紐を入れ込むための溝である。また、ストラップホール１９及びストラップピン２４は、本実施形態の携帯電話端末の各ユニットを回転させた際に、ストラップが端末本体に巻き付いたりしないようにするために、下ユニット３の底面部の中央に配されている。
【００３３】
なお、本実施形態の携帯電話端末において、図示は省略しているが、上ユニット１，中ユニット２，下ユニット３の筐体内部には、通話機能や電子メール機能、カメラ機能、テレビジョン通話機能、音楽機能、テレビジョン視聴機能、ゲーム機能といった多くの機能を実現するための電子回路やバッテリなどが配され、また、上ユニット１，中ユニット２，下ユニット３内の各電子回路は必要に応じてそれぞれ電気的に接続され、さらに、上中連結回転ヒンジ１７を介して上ユニット１と中ユニット２が相互に回転された場合や、中下連結回転ヒンジ１８を介して中ユニット２と下ユニット３が相互に回転された場合でも、上記電気的な接続は維持されている。
【００３４】
〔各機能に適した形態〕
以下、通話機能や電子メール機能、カメラ機能、テレビジョン通話機能、音楽機能、テレビジョン視聴機能、ゲーム機能等の各種機能において、本実施形態の携帯電話端末が取り得る形態について個別に説明する。
【００３５】
〔通話機能に適した形態〕     図１３〜図１５には、通話機能を使用する際に本実施形態の携帯電話端末が採る最適な形態を示す。なお、図１３は通話機能を使用する際の携帯電話端末の正面図を示し、図１４は通話機能の使用時における本実施形態の携帯電話端末を図１３中の一点鎖線にて切断した状態で図１３中矢印Ｆ方向から見た断面図を、図１５は通話機能の使用時に本実施形態の携帯電話端末を使用者が手に持った状態の概略的な斜視図を示す。
【００３６】
本実施形態の携帯電話端末において、通話機能を使用する際には、図１３に示すように、上ユニット１の受話音声出力用のレシーバ１０と、下ユニット３の送話音声入力用のマイクロホン１３とが正面側になるように各ユニットを必要に応じて回転させる。
【００３７】
また、当該通話機能を使用する場合、中ユニット２については、表示デバイス５が例えば背面側になり、またデバイスが搭載されていない外壁面が正面側になるように各ユニットを必要に応じて回転させる。なお、中ユニット２において、上記デバイスが搭載されていない外壁面としては、例えば回転体形状筐体の長手方向の外壁面上に形成されている凹み形状２９の部分のみとなっている外壁面とすることが望ましい。
【００３８】
そして、実際に通話を行う場合、使用者は、当該通話機能の使用時の形態となされた携帯電話端末を例えば図１５に示すように手４０に持った状態で、上記レシーバ１０を耳側に、マイクロホン１３を口側に近づける。これにより、使用者は通話を行うことができるようになる。
【００３９】
このように、本実施形態の携帯電話端末によれば、通話機能の使用時に、上ユニット１のレシーバ１０と下ユニット３のマイクロホン１３が正面側になるようにすることにより、使用者は送話及び受話が可能となる。また、本実施形態において、通話機能の使用時に、中ユニット２の表示デバイス５を例えば背面側にすることにより、通話時に顔の皮脂が表示デバイス５の透明保護部材２０に付着することを防止できるようになる。さらに、中ユニット２の凹み形状２９部分を正面側にすることにより、中ユニット２の凹み形状２９部分が使用者の顔の曲面に沿うようになり、使い勝手が非常に良くなる。
【００４０】
〔電子メール機能に適した形態〕     図１及び図１６には、電子メール機能を使用する際に本実施形態の携帯電話端末が採る最適な形態を示す。なお、図１６は電子メール機能の使用時に本実施形態の携帯電話端末を使用者が手に持った状態の概略的な斜視図を示す。
【００４１】
本実施形態の携帯電話端末において、電子メール機能を使用する際には、図１及び図１６に示すように、中ユニット２の表示デバイス５が正面になり、また下ユニット３の例えばメインキー部９及び方向指示キー６，決定キー７，ソフトキー部８が略々正面になるように、各ユニットを必要に応じて回転させる。なお、上ユニット１の正面については特に限定しない。
【００４２】
このように、本実施形態の携帯電話端末において、電子メール機能の使用時には、中ユニット２の表示デバイス５と、下ユニット３のメインキー部９等が略々正面側になるようにすることにより、使用者は、片手４０の拇指（親指）にて方向指示キー６と決定キー７、ソフトキー部８及びメインキー部９の１２キーのうち方向指示キー６及びソフトキー部側の幾つかのキーを操作することができ、また、片手４０の長指（中指）及び無名指（薬指）にてメインキー部９の１２キーの残りのキーを操作することができ、さらに、片手４０の示指（人差し指）にて回転入力デバイス１１を操作することができることになる。
【００４３】
すなわち本実施形態によれば、電子メール機能の使用時の形態に、使用者が端末本体を片手４０で握って指を回し込むことにより、その片手４０の複数の指にて複数のキーを一度に操作するようなことが実現可能となり、したがって、電子メール文字等の入力タイピング速度を高めることができるようになる。また、本実施形態によれば、片手４０のみを用いたコンパクトな使用形態を保ちつつ、従来のような一つの指のみへの負担の集中を軽減することができる。なお、下ユニット３の底面に取り付けられたストラップは、片手４０の小指にて保持することができ、これにより、携帯電話端末の落下等を防止することができるようになる。
【００４４】
また、本実施形態の携帯電話端末によれば、メインキー部９の１２キー部分が、下ユニット３の回転体形状筐体外周方向に並べて配されているため、端末本体の全長の短縮化も可能となっている。さらに、本実施形態によれば、メインキー部９の１２キー部分の配列が、既存の１２キーに準じた配列となされているため、デファクトスタンダードとなっているキー配置に慣れ親しんだ者にとっても馴染み易くなっている。
【００４５】
また、本実施形態によれば、１２キー部分の各キーがアーチ形状を有し、１２キー部分全体として各キートップ部分を繋ぐ曲線が波打つような形状となされているため、１２キー部分のキーピッチが狭くなっているにもかかわらず、操作し易くなっている。
【００４６】
また、本実施形態において、方向指示キー６及び決定キー７は、下ユニット３の回転体形状筐体外壁面上で底面から遠い方（中ユニット２に近い方）に配されているため、使用者が端末本体を片手４０で握った際の拇指直下（近傍）に方向指示キー６及び決定キー７がくることになるため、使用者は使用頻度の高い方向指示キー６及び決定キー７を容易に操作することが可能となる。
【００４７】
その他、本実施形態の携帯電話端末によれば、各ユニットを回転させることができるため、使用者が端末本体を片手４０にて持っている際の手首の掌背屈等をどのような角度にして使用した場合でも、例えば下ユニット３に対する中ユニット２の角度を調整することで、キー部分と表示デバイスの角度を各人の使いやすい自由な角度に設定することができる。すなわち例えば、電子メール機能の使用時において、使用者以外の者に対して例えば表示デバイスに表示されている電子メールの内容を見せるようなことが容易になる。
【００４８】
〔テレビジョン通話機能に適した形態〕     また、図１に示した形態は、テレビジョン通話機能を使用する際に本実施形態の携帯電話端末が採る最適なものともなされている。なお、図１の例は、カメラ機能において使用者自身を撮影する場合（いわゆる自分撮り）にも最適な形態となる。
【００４９】
本実施形態の携帯電話端末において、テレビジョン通話機能を使用する際には、図１に示すように、上ユニット１のカメラ部４と中ユニット２の表示デバイス５が共に正面になり、下ユニット３のメインキー部９及び方向指示キー６，決定キー７，ソフトキー部８が略々正面になるように、各ユニットを必要に応じて回転させる。
【００５０】
このように、本実施形態の携帯電話端末において、テレビジョン通話機能の使用時やカメラ機能にて使用者自身を撮影するような場合には、上ユニット１のカメラ部４及び中ユニット２の表示デバイス５を正面側にし、下ユニット３の各キー部分が略々正面側になるようにすることにより、上ユニット１のカメラ部４で撮影されている映像、つまりカメラ部４の前にいる人物である使用者自身の映像を、中ユニット２の表示デバイスの画面で確認できるようになると共に、下ユニット３の決定キー７によりカメラ部４の撮影開始を使用者自身が楽に指示することができる。
【００５１】
なお、セルフタイマーにより使用者自身を撮影するような場合、本実施形態の携帯電話端末は、下ユニット３の底面部をテーブル等に置いた状態で撮影することができる。この場合、下ユニット３の底面部に取り付けられたストラップは、ストラップ用逃げ溝２５により邪魔にならないようにすることができる。
【００５２】
〔音楽機能、テレビジョン視聴機能に適した形態〕     図１７及び図１８には、音楽機能やテレビジョン視聴機能を使用する際に本実施形態の携帯電話端末が採る最適な形態を示す。なお、図１８は特に音楽機能の使用時に本実施形態の携帯電話端末を使用者が手に持った状態の概略的な斜視図を示す。
【００５３】
本実施形態の携帯電話端末において、音楽機能やテレビジョン視聴機能を使用する際には、図１７及び図１８に示すように、中ユニット２の表示デバイス５が正面になると同時に、上ユニット１の第１の音楽用スピーカ１２と下ユニット３の第２の音楽用スピーカ１５及び音楽キー部１６が正面になるように、各ユニットを必要に応じて回転させる。
【００５４】
このように、本実施形態の携帯電話端末において、音楽機能やテレビジョン視聴機能の使用時には、上ユニット１の第１の音楽用スピーカ１２と下ユニット３の第２の音楽用スピーカ１５及び音楽キー部１６を正面側にすることにより、第１，第２の音楽用スピーカ１２，１５によりステレオ左右チャンネルの音楽を出力することができるようになると共に、使用者は音楽キー部１６により音楽再生時の再生開始やトラック（チャンネル）送り／戻し，一時停止，ボリューム調整等の操作を行うことができるようになる。特に、図１８に示すように本実施形態の携帯電話端末を片手４０にて持つようにした場合、例えば電車等に乗車中に端末本体を片手４０にて持った状態で、拇指により回転入力デバイス１１を操作して選局等を行うと同時に、長指及び無名指にて音楽キー部１６を操作することが可能となる。
【００５５】
また、音楽機能やテレビジョン視聴機能の使用時、中ユニットの表示デバイス５を正面側にすることにより、音楽機能時には再生楽曲リストの表示等のメニュー表示を行うことができ、テレビジョン視聴機能時にはテレビジョン映像を表示することができるようになる。
【００５６】
なお、本実施形態の携帯電話端末は、図１８のように片手４０に持って立てた状態で使用することもできるが、勿論、横向きにして使用することも可能である。特に、テレビジョン視聴機能の使用時や、音楽機能にて第１，第２の音楽用スピーカ１２，１５から音楽を出力する場合には、本実施形態の携帯電話端末本体を横向きにして使用することが望ましい。また、本実施形態の携帯電話端末本体を図１７の形態とし、当該端末を横向きにして例えばテーブル等の上に置いて使用する場合、台座部３０をテーブル面側にして当該端末を置くようにすれば、表示デバイス５の表示面はテーブル面に対して斜め上方向を向くことになり、使用者にとって非常に見やすくなる。
【００５７】
〔ゲーム機能に適した形態〕     図１９及び図２０には、ゲーム機能を使用する際に本実施形態の携帯電話端末が採る最適な形態を示す。なお、ゲーム機能を使用する場合、本実施形態の携帯電話端末は横向きに使用される。また、図２０はゲーム機能の使用時に本実施形態の携帯電話端末を使用者が左手４０Ｌ及び右手４０Ｒにて持った状態の概略的な斜視図を示す。
【００５８】
本実施形態の携帯電話端末において、ゲーム機能を使用する際には、図１９及び図２０に示すように、上ユニット１の十字キーデバイス１４が正面になり、下ユニット３の方向指示キー６及び決定キー７とソフトキー部８が正面になると同時に、中ユニット２の表示デバイス５が正面になるように、各ユニットを必要に応じて回転させる。
【００５９】
このように、本実施形態の携帯電話端末において、ゲーム機能の使用時には、上ユニット１の十字キーデバイス１４と下ユニット３の方向指示キー６，決定キー７，ソフトキー部８を正面側にすることにより、様々なゲームで多用される十字キーデバイス１４やキー方向指示キー６，決定キー７，ソフトキー部８を、使用者の左手４０Ｌと右手４０Ｒの拇指により操作し易い位置に配することが可能となる。特に、本実施形態の携帯電話端末の場合、ソフトキー部８の四つのソフトキーは、方向指示キー６及び決定キー７を挟まない位置で且つそれらキー６，７に隣接した位置に配されているため、ゲーム時の操作性が向上している。
【００６０】
また、ゲーム機能の使用時、中ユニットの表示デバイス５を正面側にすることにより、ゲーム画面の表示を行うことができるようになる。
【００６１】
〔カメラ機能に適した形態〕     図２１〜図２９には、カメラ機能を使用する際に本実施形態の携帯電話端末が採る最適な形態を示す。なお、カメラ機能を使用する場合、本実施形態の携帯電話端末は横向きに使用することが望ましい。
【００６２】
ここで、図２１〜図２５は、本実施形態の携帯電話端末を右利き用にしてカメラ機能を使用する際の形態を示しており、一方、図２６〜図２９は、本実施形態の携帯電話端末を左利き用にしてカメラ機能を使用する際の形態を示している。なお、図２１は右利き用にてカメラ機能を使用する際の携帯電話端末の正面図（使用者側から見た正面図）を示し、図２２は図２１に対する右側面を、図２３は図２１に対する背面側（被写体側から見た図）を示し、図２４は右利き用にてカメラ機能を使用する際に本実施形態の携帯電話端末を使用者が左手４０Ｌ及び右手４０Ｒにて持った状態で図２３側から見た概略的な斜視図を、図２５は図２１側から見た概略的な斜視図を示している。また、図２６は左利き用にてカメラ機能を使用する際の携帯電話端末の正面図（使用者側から見た正面図）を示し、図２７は図２６に対する左側面を、図２８は図２６に対する背面側（被写体側から見た図）を示し、図２９は左利き用にてカメラ機能を使用する際に本実施形態の携帯電話端末を使用者が左手４０Ｌ及び右手４０Ｒにて持った状態で図２８側から見た概略的な斜視図を示している。
【００６３】
本実施形態の携帯電話端末において、右利き用にてカメラ機能を使用する時には、図２１〜図２５に示したように、上ユニット１のカメラ部４を被写体側（十字キーデバイス１４が使用者側）に向け、下ユニット３の決定キー７（シャッターボタン）を使用者の右手４０Ｒの示指にて押しやすい位置にし、中ユニット２の表示デバイス５の表示面を使用者側に向けるように、各ユニットを必要に応じて回転させる。
【００６４】
これにより、本実施形態の携帯電話端末において、右利き用にてカメラ機能を使用する時には、上ユニット１のカメラ部４にて被写体を撮影することができると同時に、下ユニット３の決定キー７（シャッターボタン）を使用者が右手４０Ｒの示指にて押すことができ、さらに、中ユニット２の表示デバイス５にて使用者が撮影中の被写体映像を見ることができるようになる。
【００６５】
また、本実施形態の携帯電話端末において、左利き用にてカメラ機能を使用する時には、図２６〜図２９に示したように、上ユニット１のカメラ部４を被写体側（十字キーデバイス１４が使用者側）に向け、下ユニット３の決定キー７（シャッターボタン）を使用者の左手４０Ｌの示指にて押しやすい位置にし、中ユニット２の表示デバイス５の表示面を使用者側に向けるように、各ユニットを必要に応じて回転させる。
【００６６】
これにより、本実施形態の携帯電話端末において、左利き用にてカメラ機能を使用する時には、上ユニット１のカメラ部４にて被写体を撮影することができると同時に、下ユニット３の決定キー７（シャッターボタン）を使用者が左手４０Ｌの示指にて押すことができ、さらに、中ユニット２の表示デバイス５にて使用者が撮影中の被写体映像を見ることができるようになる。
【００６７】
なお、カメラ機能を使用する場合、上ユニット１の十字キーデバイス１４にてワイド／テレ（Ｗ／Ｔ）操作などの操作が行えるようにすることも可能である。
【００６８】
このように、本実施形態の携帯電話端末によれば、カメラ機能の使用に最適で、また、使用者が右利きであっても左利きであっても非常に使い易い形態を実現可能となっている。
【００６９】
〔まとめ〕
以上説明したように、本実施形態の携帯電話端末によれば、通話機能や電子メール機能、カメラ機能、テレビジョン通話機能、音楽機能、テレビジョン視聴機能、ゲーム機能等の各種機能が搭載されている場合に、回転体形状に加えて円周等配形状を基調とする端末本体を、上ユニット１、中ユニット２、下ユニット３の三つの部分により構成し、それら各ユニット１，２，３を回転ヒンジで連結して円周方向に相互に回転可能にすると共に、各ユニット１，２，３の回転体形状筐体外周面上の適切な位置に各種のユーザインターフェースデバイスを配置し、それらユーザインターフェースデバイスを各機能にて共通化することにより、端末構成の大型化を招くことなく（小型化が可能で）、筐体内部スペースを有効活用でき、各種機能にそれぞれ好適で利便性，安定性，操作性の高い形態を実現可能となり、使用者にとって非常に使い易いユーザインターフェースを実現可能となっている。
【００７０】
また、本実施形態の携帯電話端末によれば、使用者の利き手に拠らず使い易く、特定の指等に過度に負担が集中することもなくタイピング速度を向上させることができ、さらに、既存のスタンダードなキー配置に慣れたユーザでも使い易く、また、例え目視していない状態でも操作できる利便性が高い形態を容易に実現することができる。
【００７１】
また、本実施形態の携帯電話端末によれば、各ユニットの回転方向が円周方向となされているため、各ユニットを回転させた場合でも、設計時の基本的なデザインを崩すことなく、多彩な意匠のバリエーションを作り出すことができ、市場に多く出回っている既存の部品を有効に活用することも可能となっている。
【００７２】
さらに、本実施形態の携帯電話端末によれば、下ユニット３の底面中央部にストラップを取り付け可能にすると共に、ストラップの逃げ溝２５をも設けることで、ストラップが端末本体に巻き付いてしまったり、下ユニット３の底面をテーブル面等に置くようにしても、ストラップが邪魔になることはない。
【００７３】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００７４】
本発明の形態端末は、携帯電話端末に限定されず、ＰＤＡや携帯型ゲーム機などの各種の携帯端末にも適用可能である。
【図面の簡単な説明】
【００７５】
【図１】本実施形態の携帯電話端末の正面図である。
【図２】図１に対する左側面図である。
【図３】図１に対する右側面図である。
【図４】図１に対する背面図である。
【図５】図１に対する底面図である。
【図６】本実施形態の携帯電話端末を図１中の一点鎖線にて切断した状態で図１中矢印Ａ方向から見た断面図である。
【図７】本実施形態の携帯電話端末を図２中の一点鎖線にて切断した状態で図２中矢印Ｃ方向から見た断面図である。
【図８】本実施形態の携帯電話端末を図１中二点鎖線にて切断した状態で図１中矢印Ｂ方向からみた断面図である。
【図９】本実施形態の携帯電話端末を図６中二点鎖線にて切断した状態で図６中矢印Ｄ方向から見た断面図である。
【図１０】図６中の点線Ｅで囲った部分を拡大して示す図である。
【図１１】回転入力デバイスの主要部の斜視図である。
【図１２】本実施形態の携帯電話端末の内部回路構成等を省略した筐体とその連結部分のみを示した断面図である。
【図１３】通話機能を使用する際の最適な形態となされた本実施形態の携帯電話端末の正面図である。
【図１４】通話機能の使用に最適な形態となされた本実施形態の携帯電話端末を図１３中の一点鎖線にて切断した状態で図１３中矢印Ｆ方向から見た断面図である。
【図１５】通話機能の使用に最適な形態となされた本実施形態の携帯電話端末を使用者が片手で持った状態の概略的な斜視図である。
【図１６】電子メール機能の使用に最適な形態となされた本実施形態の携帯電話端末を使用者が片手で持った状態の概略的な斜視図である。
【図１７】音楽機能やテレビジョン視聴機能を使用する際の最適な形態となされた本実施形態の携帯電話端末の正面図である。
【図１８】音楽機能の使用に最適な形態となされた本実施形態の携帯電話端末を使用者が片手で持った状態の概略的な斜視図である。
【図１９】ゲーム機能を使用する際の最適な形態となされた本実施形態の携帯電話端末の正面図である。
【図２０】ゲーム機能の使用に最適な形態となされた本実施形態の携帯電話端末を使用者が両手で持った状態の概略的な斜視図である。
【図２１】右利き用にてカメラ機能を使用するのに最適な形態となされた本実施形態の携帯電話端末の正面図（使用者側から見た正面図）である。
【図２２】図２１に対する右側面図である。
【図２３】図２１に対する背面図（被写体側から見た図）である。
【図２４】右利き用にてカメラ機能を使用する際に最適な形態となされた本実施形態の携帯電話端末を使用者が両手で持った状態で図２３側から見た概略的な斜視図である。
【図２５】右利き用にてカメラ機能を使用する際に最適な形態となされた本実施形態の携帯電話端末を図２１側から見た概略的な斜視図を示している。
【図２６】左利き用にてカメラ機能を使用するのに最適な形態となされた本実施形態の携帯電話端末の正面図（使用者側から見た正面図）である。
【図２７】図２６に対する左側面図である。
【図２８】図２６に対する背面図（被写体側から見た図）である。
【図２９】左利き用にてカメラ機能を使用する際に最適な形態となされた本実施形態の携帯電話端末を使用者が両手で持った状態で図２８側から見た概略的な斜視図である。
【符号の説明】
【００７６】
１  上ユニット、２  中ユニット、３  下ユニット、４  カメラ部、５  表示デバイス、５ＤＳ  平面状液晶ディスプレイ、６  方向指示キー、７  決定キー、８  ソフトキー部、９  メインキー部、１０  レシーバ、１１  回転入力デバイス、１１Ｊ  回転リング、１２  第１のスピーカ、１３  マイクロホン、１４  十字キーデバイス、１５  第２のスピーカ、１６  音楽キー部、１７  上中連結回転ヒンジ、１８  中下連結回転ヒンジ、１９  ストラップホール、２０  透明保護部材、２１  回転コロ部、２２  フレーム、２３  ロータリーエンコーダ、２４  ストラップピン、２５  ストラップ用逃げ溝、２９  凹み形状、３０  横置き用の台座部、４０  手、Ｗ１〜Ｗ４  操作窓部
【図１】
2008141538.tif 000003
【図２】
2008141538.tif 000004
【図３】
2008141538.tif 000005
【図４】
2008141538.tif 000006
【図５】
2008141538.tif 000007
【図６】
2008141538.tif 000008
【図７】
2008141538.tif 000009
【図８】
2008141538.tif 000010
【図９】
2008141538.tif 000011
【図１０】
2008141538.tif 000012
【図１１】
2008141538.tif 000013
【図１２】
2008141538.tif 000014
【図１３】
2008141538.tif 000015
【図１４】
2008141538.tif 000016
【図１５】
2008141538.tif 000017
【図１６】
2008141538.tif 000018
【図１７】
2008141538.tif 000019
【図１８】
2008141538.tif 000020
【図１９】
2008141538.tif 000021
【図２０】
2008141538.tif 000022
【図２１】
2008141538.tif 000023
【図２２】
2008141538.tif 000024
【図２３】
2008141538.tif 000025
【図２４】
2008141538.tif 000026
【図２５】
2008141538.tif 000027
【図２６】
2008141538.tif 000028
【図２７】
2008141538.tif 000029
【図２８】
2008141538.tif 000030
【図２９】
2008141538.tif 000031